(57)【要約】      （修正有）【課題】多数の電気コンタクトユニットを有する電気コネクタの改善を図る。【解決手段】本発明の、多数の電気コンタクトユニットを有する電気コネクタ用コンタクトハウジング（１）は、少なくとも２つのコンタクトハウジングモジュール（１０、２０）を有し、コンタクトハウジングモジュール（１０、２０）内に複数の電気コンタクトユニットをそれぞれ設けることができ、コンタクト固定手段は、コンタクト固定コームとして形成され、第１のコンタクトハウジングモジュール（１０／２０）のコンタクト固定コームは、第２のコンタクトハウジングモジュール（２０／１０）内に係合することができるように形成され、第２のコンタクトハウジングモジュール（２０／１０）のコンタクト固定コームは、第１のコンタクトハウジングモジュール（１０／２０）内に係合することができるように形成される。【選択図】図７
2018206766.tif 000002
【特許請求の範囲】
【請求項１】
多数の電気コンタクトユニット（３０）を有する電気コネクタ用、特に自動車産業向けの電気プラグコネクタまたは嵌合コネクタ用のコンタクトハウジング（１）であって、
少なくとも２つのコンタクトハウジングモジュール（１０、２０）を有し、前記コンタクトハウジングモジュール（１０、２０）内に複数の電気コンタクトユニット（３０）をそれぞれ設けることができ、前記コンタクトハウジングモジュール（１０、２０）によって、前記コンタクトハウジングモジュール（１０、２０）内に前記電気コンタクトユニット（３０）のコンタクト固定手段を相互にもたらすことができる、コンタクトハウジング（１）において、
前記コンタクト固定手段は、コンタクト固定コーム（１２０、２２０）として形成され、第１のコンタクトハウジングモジュール（１０／２０）のコンタクト固定コーム（１２０／２２０）が、第２のコンタクトハウジングモジュール（２０／１０）内に係合することができるように形成され、前記第２のコンタクトハウジングモジュール（２０／１０）のコンタクト固定コーム（２２０／１２０）が、前記第１のコンタクトハウジングモジュール（１０／２０）内に係合することができるように形成されていることを特徴とする、コンタクトハウジング（１）。
【請求項２】
・前記コンタクトハウジングモジュール（１０、２０）は、互いに対する相互の事前組立て（Ｖ）もしくは組立て（Ｍ）の前（Ｇ）に、互いから空間的に分離して設けられ、
・前記コンタクトハウジングモジュール（１０、２０）は、前記コンタクトハウジングモジュール（１０、２０）の事前組立て位置（Ｖ）で、互いに対して並進して互いの方へ動くことが可能であるように設けられ、かつ／または
・前記コンタクトハウジングモジュール（１０、２０）は、好ましくは、前記コンタクトハウジングモジュール（１０、２０）の最終組立て位置（Ｅ）で、互いに解放可能に固定されている
ことを特徴とする、請求項１に記載のコンタクトハウジング（１）。
【請求項３】
前記コンタクトハウジング（１）は、互いに対する前記２つのコンタクトハウジングモジュール（１０、２０）の事前組立て位置（Ｖ）から開始し、互いに対する前記２つのコンタクトハウジングモジュール（１０、２０）の最終組立て位置（Ｅ）に対して、スナップ閉じ可能であるように形成されていることを特徴とする、請求項１または２に記載のコンタクトハウジング（１）。
【請求項４】
前記第１のコンタクトハウジングモジュール（１０／２０）の前記コンタクト固定コーム（１２０／２２０）は、前記第２のコンタクトハウジングモジュール（２０／１０）の前記コンタクト固定コーム（２２０／１２０）に少なくとも部分的に係合可能に形成され、かつ／または
互いに対する前記コンタクトハウジングモジュール（１０、２０）の事前組立て位置（Ｖ）で、少なくとも１つのコンタクト固定コーム（１２０／２２０）が、関係する前記コンタクトハウジングモジュール（１０／２０）のこのコンタクト固定コーム（１２０／２２０）に対向して位置する１つのベース本体（２００／１００）内に少なくとも部分的に係合していることを特徴とする、請求項１から３のいずれか一項に記載のコンタクトハウジング（１）。
【請求項５】
前記コンタクトハウジングモジュール（１０、２０）内に、前記コンタクト固定コーム（１２０、２２０）によって、前記コンタクトユニット（３０）の２次コンタクト固定手段（１２０、２２０）をそれぞれ設けることができることを特徴とする、請求項１から４のいずれか一項に記載のコンタクトハウジング（１）。
【請求項６】
互いに関係するコンタクト固定コーム（１２０、２２０）が、実質的に１つの平面（Ｌ、Ｂ）内もしくは異なる平面（Ｌ、Ｂ；Ｌ、Ｂ）内に配置され、かつ／または
個々のコンタクト固定コーム（１２０、２２０）のコンタクト固定歯（１２２、２２２）が、実質的に１つの平面（Ｌ、Ｂ）内もしくは異なる平面（Ｌ、Ｂ；Ｌ、Ｂ）内に配置されていることを特徴とする、請求項１から５のいずれか一項に記載のコンタクトハウジング（１）。
【請求項７】
関係するベース本体（１００、２００）が、電気コンタクトユニット（３０）に対するコンタクトチャンバ（１１０、２１０）の領域内に、このコンタクトチャンバ（１１０、２１０）内へつながる２次係止貫通凹部（１１２、２１２）を有し、かつ／または
コンタクト固定歯（１２２、２２２）が、互いに直接隣接している２つのコンタクトチャンバ（１１０、２１０）またはコンタクトハウジングモジュール（１０、２０）の２次係止貫通凹部（１１２、２１２）の実質的に間で、前記関係するベース本体（１００、２００）の内面（１０１、２０１）から突出していることを特徴とする、請求項１から６のいずれか一項に記載のコンタクトハウジング（１）。
【請求項８】
互いに対する前記２つのコンタクトハウジングモジュール（１０、２０）の前記最終組立て位置（Ｅ）で、
・沿面距離（１２４、２２４）が、コンタクトハウジングモジュール（１０、２０）の互いに直接隣接している２つの電気コンタクトユニット（３０）間を、このコンタクトハウジングモジュール（１０、２０）のこれらの２つの電気コンタクトユニット（３０）間に位置するコンタクト固定歯（１２２、２２２）を介して延び、
・少なくとも１つのそれぞれの沿面距離（１２４、２２４）が、関係するコンタクトハウジングモジュール（１０、２０）のそれぞれ互いに直接隣接している２つの電気コンタクトユニット（３０）間を、それぞれ前記関係するコンタクトハウジングモジュール（１０、２０）のこれらの２つの電気コンタクトユニット（３０）間に位置するコンタクト固定歯（１２２、２２２）を介して延び、または
・実質的にすべての沿面距離（１２４、２２４）が、関係するコンタクトハウジングモジュール（１０、２０）の互いに直接隣接している２つの電気コンタクトユニット（３０）間を、前記関係するコンタクトハウジングモジュール（１０、２０）のこれらの２つの電気コンタクトユニット（３０）間に位置するコンタクト固定歯（１２２、２２２）を介して延びていることを特徴とする、請求項１から７のいずれか一項に記載のコンタクトハウジング（１）。
【請求項９】
第１のベース本体（１００／２００）の関係する内面（１０１／２０１）に、その２次係止貫通凹部（１１２／２１２）から離れて開口（１１４／２１４）を有するコンタクトチャンバ（１１０／２１０）を、第２のベース本体（２００／１００）の内面（２０１／１０１）の閉鎖部から電気的に分離することができ、または
前記ベース本体（１００、２００）の関係する内面（１０１、２０１）に、その２次係止貫通凹部（１１２、２１２）から離れて開口（１１４、２１４）を有するそれぞれ少なくとも１つのコンタクトチャンバ（１１０、２１０）を、他方のベース本体（２００、１００）の関係する内面（２０１、１０１）の閉鎖部からそれぞれ電気的に分離することができることを特徴とする、請求項１から８のいずれか一項に記載のコンタクトハウジング（１）。
【請求項１０】
前記コンタクトハウジングモジュール（１０、２０）は、
・前記ベース本体（１００、２００）の互いに対して部分的に相補形の係止ユニット（１３０、２３０）によって互いに事前に係止することができ、
・前記最終位置で、前記ベース本体（１００、２００）の互いに対して部分的に相補形の前記係止ユニット（１３０、２３０）によって互いに係止することができ、
・前記ベース本体（１００、２００）の互いに少なくとも部分的に相補形の案内ユニット（１４０、２４０）によって、好ましくは１つの次元において、互いに対して並進して相互に強制的に案内されるように提供されていることを特徴とする、請求項１から９のいずれか一項に記載のコンタクトハウジング（１）。
【請求項１１】
・幅方向（Ｂ）における前記コンタクトハウジング（１）の実質的な最大外形寸法が、６．５ｍｍ、６．３ｍｍ、６．１ｍｍ、５．９ｍｍ、５．７ｍｍ、５．５ｍｍ、もしくは５．３ｍｍ以下であり、
・前記第１のコンタクトハウジングモジュール（１０／２０）の電気コンタクトユニット（３０）および前記第２のコンタクトハウジングモジュール（２０／１０）の電気コンタクトユニット（３０）が、同じスクリーン幅に適合され、
・前記第１のコンタクトハウジングモジュール（１０／２０）の電気コンタクトユニット（３０）および前記第２のコンタクトハウジングモジュール（２０／１０）の電気コンタクトユニット（３０）は、実質的に同一に形成され、
・コンタクトハウジングモジュール（１０、２０）の少なくとも１つの大きい長手方向の外面が、実質的に閉じて形成され、かつ／または
・コンタクトハウジングモジュール（１０／２０）もしくは前記コンタクトハウジングモジュール（１０、２０）がそれぞれ、単体として、物質的に単体として、もしくは一体的に形成されている
ことを特徴とする、請求項１から１０のいずれか一項に記載のコンタクトハウジング（１）。
【請求項１２】
電気コネクタ用、特に自動車産業向けのコンタクトハウジングレセプタクル（５）、特にフランジ端子（５）であって、
収容空間（５００）を有し、前記収容空間（５００）内へ突出するように、少なくとも２列の電気コンタクトユニット（６０）を設けることができ、少なくとも１つの列の互いに隣接している２つの電気コンタクトユニット（６０）間で、前記収容空間（５００）内に内側補強リブ（５９０）が形成される、コンタクトハウジングレセプタクル（５）において、
前記コンタクトハウジングレセプタクル（５）は、前記内側補強リブ（５９０）が、前記収容空間（５００）内で互いに隣接している前記２つの電気コンタクトユニット（６０）を越えて突出し、またはこれらのコンタクトユニット（６０）のうちの少なくとも１つと実質的に同じ高さで終端するように形成されていることを特徴とするコンタクトハウジングレセプタクル（５）。
【請求項１３】
・前記コンタクトハウジングレセプタクル（５）は、その外面上で補強リブから実質的に自由であり、
・前記コンタクトハウジングレセプタクル（５）の２つの大きい長手方向の外面（５０２）は、実質的に平面に形成され、
・前記コンタクトハウジングレセプタクル（５）は、適したテストフィンガ（６）と電気コンタクトユニット（３０）の自由端との間の最小間隔が、２．５ｍｍ、３ｍｍ、３．５ｍｍ、３．７５ｍｍ、４ｍｍ、もしくは４．２５ｍｍ以上になるように形成され、かつ／または
・幅方向（Ｂ）における前記コンタクトハウジングレセプタクル（５）の実質的な最大外形寸法が、８．５ｍｍ、８．３ｍｍ、８．１ｍｍ、７．９ｍｍ、７．７ｍｍ、７．５ｍｍ、または７．３ｍｍ以下である
ことを特徴とする、請求項１２に記載のコンタクトハウジングレセプタクル（５）。
【請求項１４】
多数の電気コンタクトユニット（３０／６０）を有する特に自動車産業向けの電気コネクタであって、
請求項１から１３のいずれか一項に記載のコンタクトハウジング（１）またはコンタクトハウジングレセプタクル（５）を有していることを特徴とする電気コネクタ。
【請求項１５】
請求項１４に記載の電気コネクタを有している
ことを特徴とする既製の電気ケーブルまたは既製の電気ケーブルハーネス。
【発明の詳細な説明】
【技術分野】
【０００１】
本発明は、多数の電気コンタクトユニットを有する電気コネクタ用、特に自動車産業向けの電気プラグコネクタまたは嵌合コネクタ用のコンタクトハウジングに関する。本発明はさらに、特に自動車産業向けの電気コネクタ用のコンタクトハウジングレセプタクル、特にフランジ端子に関する。さらに、本発明は、電気コネクタ、既製の電気ケーブル、および既製の電気ケーブルハーネスに関する。
【背景技術】
【０００２】
電気産業（電子機器、電気工学、電気機器、電力工学など）では、広い範囲の電流、電圧、周波数、および／またはデータ速度で電流、電圧、信号、および／またはデータを伝送する働きをする多数の電気コネクタデバイス、またはそれぞれコネクタユニット、ソケット、および／もしくはペグコネクタなど（以下、（電気）（嵌合）コネクタと呼ぶ）が知られている。低、中、または高い電圧および／または電流範囲で、特に自動車産業において、そのようなコネクタは、暖かい、場合により暑い、汚染され、湿気が多く、かつ／または化学的に侵食性の環境で、電力、信号、および／またはデータの伝送を、恒久的に、繰返し、かつ／または比較的長いサービス寿命後も、遅延なく保証しなければならない。適用範囲が広いため、多数の特別に構成されたコネクタが知られている。
【０００３】
そのようなコネクタまたはむしろそれらのハウジングは、（電力）電気的、電気光学的、もしくは電子的な構成要素またはそのような機器などのたとえばハウジング内、リードフレーム、プリン回路基板など、電気ケーブル、ワイア、ケーブルハーネス（既製の電気ケーブル）、および／または電気ユニットもしくはデバイスなどに設置することができる。後者の場合、これは（嵌合）コネクタユニットと呼ばれることが多い。コネクタがケーブル、ワイア、またはケーブルハーネスのみに位置する場合、これはまた、（フライング）（プラグ）コネクタまたはプラグまたは継手とも呼ばれ、コネクタが電気的、電子的、または電気光学的な構成要素上／内に位置する場合、これはまた、（内蔵）コネクタ、（内蔵）プラグ、または（内蔵）ソケットとも呼ばれる。さらに、そのようなユニットへのコネクタはまた、（プラグ）レセプタクルまたはヘッダとして識別されることが多い。
【０００４】
電気コネクタは、電気信号（電圧）および／または電力の完全な伝送を保証しなければならず、互いに対応するコネクタ（コネクタおよび嵌合コネクタ）は通常、コネクタを嵌合コネクタ内に長期的であるが通常は解放可能に締結またはロックするための締結またはロック配置を有する。さらに、これらの中には、たとえば実際の電気コンタクトデバイス（通常は一体形成される）および／または実際の電気コンタクトユニット（通常は複数の部分から、単体として、物質的に単体として、もしくは一体的に形成される）などの対応する電気コンタクト素子（端子）を確実に受け取らなければならない。コネクタのハウジングは通常、たとえばＦＡＫＲＡ規格または異なる規格などの特定の規格に準拠しているため、ハウジングの最も重要な寸法は、異なる製造者の間で同じ寸法を有する。
【０００５】
電気コンタクトデバイス、電気コンタクトユニット、電気コネクタ、および／または既製の電気ケーブルを改善し、これらをより費用効果の高いやり方で形成し、かつ／またはこれらをより費用効果の高いやり方で作製するために、絶え間ない取組みがなされている。たとえば、特定の用途では、たとえばセンサ用途のための高圧コネクタでは、ハイブリッド車両および電気車両に対して、増大された安全性要件が満たされるべきである。これらの安全性要件は、空間距離および沿面距離、ならびにやはりコネクタ内、特にプラグコネクタ内で信号コンタクト（小さいワイア断面）に必要とされるフィンガガード（ＩＰｘｘＢ）に関する。
【０００６】
従来技術（図１および図２参照）では、典型的な低電圧用途のための２列プラグコネクタ（コネクタ）が、好ましくは、その電気コンタクトユニットのためのその一体コンタクトハウジング８上に、２つの横方向に成形された２次コンタクト固定手段８０を有する。コンタクトユニットは主に、１つの部分からなるコンタクトハウジング８内に係止する。関係する２次コンタクト固定手段８０は、横方向スライダを連続して有する。最悪の場合、２つの隣接しているコンタクトユニットが、関係する２次コンタクト固定手段８０に当たった場合、沿面距離８２が、空間距離８２に対応する。この解決策では、沿面距離８２は、スクリーン幅（長手方向の間隔）をより大きくすることでしか増大されない可能性があり、これは、プラグコネクタの長手方向における設置空間に負の影響を与える。
【０００７】
２つの成形された２次コンタクト固定手段８０を有するコンタクトハウジング８の最小幅は、約７ｍｍである。その結果、補強用の外部リブ９２を除いて、コンタクトハウジングレセプタクル９（図３および図４参照）のプラグインターフェース上の約９ｍｍのフランジ幅は、コンタクトハウジングレセプタクル９のフィンガガードに負の影響を与える。図示の例では、テストフィンガ６と電気コンタクトユニットの自由端との間の最小間隔は、約１．４ｍｍである。フィンガが比較的短い内側補強リブ９０によって挿入される場合、コンタクトハウジング８の連続する横方向スライダにより、コンタクトハウジングレセプタクル９の大きい側壁は、撓みに対して制限された程度で内側から安定させることしかできないため、コンタクトハウジングレセプタクル９（外側リブ９２）の外側にも追加の方策が必要であるが、これは場合により、幅および／または高さに関して設置空間にさらに負の影響を与える。
【発明の概要】
【発明が解決しようとする課題】
【０００８】
本発明の課題は、多数の電気コンタクトユニットを有する電気コネクタ用、特に自動車産業向けの電気プラグコネクタまたは嵌合コネクタ用の改善されたコンタクトハウジング、およびコンタクトハウジングに対して実質的に相補形のコンタクトハウジングレセプタクル、特にフランジ端子を特定することである。さらに、本発明の課題は、改善された電気コネクタ（嵌合コネクタまたはプラグコネクタ）および改善された既製の電気ケーブルまたはケーブルハーネスを指定することである。この場合、コンタクトハウジング用の電気コンタクトユニットは、少なくとも２つの平面内に配置可能であることが意図され、このコンタクトユニットに対するコンタクト固定手段は、容易かつ迅速に設けることが可能であることが意図される。さらに、本発明のコンタクトハウジングは、コンタクトユニットと容易に嵌まることが意図され、したがってコネクタ、および既製のケーブルまたはケーブルハーネスを高い費用効果で作製可能であることが意図される。
【課題を解決するための手段】
【０００９】
本発明の課題は、独立請求項によれば、多数の電気コンタクトユニットを有する電気コネクタ用、特に自動車産業向けの電気プラグコネクタまたは嵌合コネクタ用のコンタクトハウジングによって、特に自動車産業向けの電気コネクタ用のコンタクトハウジングレセプタクル、特にフランジ端子によって、電気コネクタによって、ならびに既製の電気ケーブルまたはケーブルハーネスによって解決される。本発明の有利なさらなる発展形態、追加の特徴、および／または利点は、従属請求項および以下の説明から明らかになるであろう。
【００１０】
本発明のコンタクトハウジングは、少なくとも２つのコンタクトハウジングモジュールを有し、コンタクトハウジングモジュール内に複数の電気コンタクトユニットをそれぞれ設けることができ、コンタクトハウジングモジュールによって、コンタクトハウジングモジュール内に電気コンタクトユニットのコンタクト固定手段を相互にもたらすことができ、コンタクト固定手段は、コンタクト固定コームとして形成され、第１のコンタクトハウジングモジュールのコンタクト固定コームは、第２のコンタクトハウジングモジュール内に係合することができるように形成され、第２のコンタクトハウジングモジュールのコンタクト固定コームは、第１のコンタクトハウジングモジュール内に係合することができるように形成される。少なくとも２つのコンタクトハウジングモジュールは、好ましくは、電気コネクタに対して少なくとも２列の電気コンタクトユニットを構成する。この場合、コンタクトハウジングは、特に２つの部分または２列からなるコンタクトハウジングとして形成される。当然ながら、複数の部分または複数の列からなるコンタクトハウジングとしてコンタクトハウジングを形成可能である。
【００１１】
本発明の一実施形態では、コンタクトハウジングモジュールは、互いに対する相互の事前組立てまたは組立て前に、互いから空間的に分離して設けることができる。言い換えれば、コンタクトハウジングモジュールは、緩んだ部分として形成され、コンタクトハウジングモジュール間に機械接続は存在しない。コンタクトハウジングモジュールは、コンタクトハウジングモジュールの事前組立て位置で、互いに対して並進して互いの方へ動くことが可能になるようにさらに設けることができる。これは、好ましくは、コンタクトハウジングのいわゆる送達状態に対応する。この場合、コンタクトハウジングまたはコンタクトハウジングモジュールを電気コンタクトユニットに嵌めることは、事前組立て位置で行われる。さらに、コンタクトハウジングモジュールは、好ましくは、コンタクトハウジングモジュールの最終組立て位置で、互いに解放可能に固定することができる。
【００１２】
本発明によれば、コンタクトハウジングは、互いに対する２つのコンタクトハウジングモジュールの事前組立て位置から開始し、互いに対する２つのコンタクトハウジングモジュールの最終組立て位置に対して、スナップ閉じ可能になるように形成することができる。第１のコンタクトハウジングモジュールのコンタクト固定コームは、第２のコンタクトハウジングモジュールのコンタクト固定コーム内に少なくとも部分的に係合可能に形成することができる。追加または別法として、互いに対するコンタクトハウジングモジュールの事前組立て位置で、少なくとも１つのコンタクト固定コームは、関係するコンタクトハウジングモジュールのこのコンタクト固定コームに対向して位置するベース本体内に少なくとも部分的に係合することができる。
【００１３】
一実施形態では、コンタクトハウジングモジュール内に、コンタクト固定コームによって、コンタクトユニットの２次コンタクト固定手段をそれぞれ設けることができる。コンタクトユニットは、好ましくは、関係するコンタクトハウジングモジュールまたはそのベース本体の内側に主に係止する。互いに関係するコンタクト固定コームは、実質的に１つの平面内または異なる平面内に配置することができる。さらに、個々のコンタクト固定コームのコンタクト固定歯は、実質的に１つの平面内または異なる平面内に配置することができる。したがって、関係する平面は、コンタクトハウジングの長手方向および幅方向にわたされている。さらに、関係するベース本体は、電気コンタクトユニットに対するコンタクトチャンバの領域内に、このコンタクトチャンバ内へつながる２次係止貫通凹部を有することができる。追加または別法として、コンタクト固定歯は、互いに直接隣接している２つのコンタクトチャンバまたはコンタクトハウジングモジュールの２次係止貫通凹部の実質的に間で、関係するベース本体の内面から突出することができる。
【００１４】
互いに対する２つのコンタクトハウジングモジュールの最終組立て位置で、沿面距離（耐トラッキング性）は、コンタクトハウジングモジュールの互いに直接隣接している２つの電気コンタクトユニット間を、このコンタクトハウジングモジュールのこれらの２つの電気コンタクトユニット間に位置するコンタクト固定歯を介して延びることができる。別法として、少なくとも１つのそれぞれの沿面距離は、関係するコンタクトハウジングモジュールのそれぞれ互いに直接隣接している２つの電気コンタクトユニット間を、それぞれ関係するコンタクトハウジングモジュールのこれらの２つの電気コンタクトユニット間に位置するコンタクト固定歯を介して延びることができる。さらに、別法として、実質的にすべての沿面距離は、関係するコンタクトハウジングモジュールの互いに直接隣接している２つの電気コンタクトユニット間を、関係するコンタクトハウジングモジュールのこれらの２つの電気コンタクトユニット間に位置するコンタクト固定歯を介して延びることができる。
【００１５】
第１のベース本体の関係する内面上でその２次係止貫通凹部から離れて開口を有するコンタクトチャンバは、第２のベース本体の内面の閉鎖部から電気的に分離可能とすることができる。別法として、ベース本体の関係する内面上でその２次係止貫通凹部から離れて開口を有するそれぞれ少なくとも１つのコンタクトチャンバは、他方のベース本体の関係する内面の閉鎖部からそれぞれ電気的に分離可能とすることができる。この場合、特に電気コンタクトユニットの１次係止および接触部（コンタクトの１次固定）の領域は、コンタクトハウジングの射出成形後、関係する鋳型とは異なる取出し方向によって電気的に分離することができる。
【００１６】
一実施形態では、コンタクトハウジングモジュールは、ベース本体の互いに対して部分的に相補形の係止ユニットによって、互いに事前に係止することができる（たとえば、互いに対して並進して互いの方へ動くことが可能になるように提供される）。さらに、一実施形態では、コンタクトハウジングモジュールは、最終位置で、ベース本体の互いに対して部分的に相補形の係止ユニットによって互いに係止することができる（たとえば、解放可能に互いに固定される）。さらに、一実施形態では、コンタクトハウジングモジュールは、ベース本体の互いに少なくとも部分的に相補形の案内ユニットによって、好ましくは１つの次元において、互いに対して並進して相互に強制的に案内されるように提供される。この場合、事前組立て位置で、関係する案内ユニットは、互いにすでに部分的に係合していることが好ましい。
【００１７】
幅方向におけるコンタクトハウジングの実質的な最大外形寸法は、６．５ｍｍ、６．３ｍｍ、６．１ｍｍ、５．９ｍｍ、５．７ｍｍ、５．５ｍｍ、または５．３ｍｍ以下とすることができる。さらに、第１のコンタクトハウジングモジュールの電気コンタクトユニットおよび第２のコンタクトハウジングモジュールの電気コンタクトユニットは、同じスクリーン幅に適合させることができる。さらに、第１のコンタクトハウジングモジュールの電気コンタクトユニットおよび第２のコンタクトハウジングモジュールの電気コンタクトユニットは、実質的に同一に形成することができる。さらに、コンタクトハウジングモジュールの少なくとも１つの大きい長手方向の外面は、実質的に閉じて形成することができる。さらに、コンタクトハウジングモジュールまたはコンタクトハウジングモジュールはそれぞれ、単体として、物質的に単体として、または一体的に形成することができる。関係するコンタクトハウジングモジュールは、好ましくは、射出成形方法によってプラスチックから作製される。
【００１８】
好ましくはプラグコネクタ（電気導体が電気的かつ機械的に接続されたその電気コンタクトユニットを含む）のための本発明の２つの部分または複数の部分からなるコンタクトハウジングでは、２次コンタクト固定手段は、コンタクト列をずらして内方へ動かされる。射出成形方法後の関係する鋳型からの１次および２次コンタクト固定手段の取出し方向も同様に、内方へ動かされる。その結果、コンタクトハウジングは、外側からの接触から保護され、コンタクトハウジング自体においてより長い沿面距離の実装形態を提供する。
【００１９】
本発明の構成によって、たとえば好ましくは約５．７ｍｍのプラグ幅を実現することができ、これにより、コンタクトハウジングレセプタクル内のフィンガガードが大幅に改善され、特に平坦な応用例において、大幅な設置空間の利点が提供される。２次コンタクト固定手段の「歯」によって、沿面距離は大幅に延ばされ、２つの直接隣接している電気コンタクトユニット間の沿面距離に関する要求が増大した場合、これは、コンタクトハウジングの長さに関して設置空間の利点となる。従来技術（可動部分なし、フィルムヒンジなし）と比べると、２つのコンタクトハウジングモジュールは、より容易に作製することができ、事前係止位置で供給することができる。その結果、取扱いおよび処理に関して、１つの部分からなる解決策（成形された２次コンタクト固定手段）と比べて、使用者に対する欠点が生じない。
【００２０】
そのようなコンタクトハウジングは、本発明のコンタクトハウジングレセプタクルを実現することを可能にする。その結果、フィンガが挿入される場合、大きい側壁を撓みから安定させるために、コンタクトハウジングレセプタクルに対して新しい可能性が生じる（以下参照）。さらに、電気コンタクトユニットの列は、大きい側壁に対してより近くに位置決めすることができ、それによりフィンガガードおよびコシリ（ｋｏｓｈｉｒｉ）安全性（２つの電気コネクタをともに斜めに合わせたときの安全性）に正の影響を与える。
【００２１】
本発明のコンタクトハウジングレセプタクルは、収容空間を備え、収容空間内へ突出するように、少なくとも２列の電気コンタクトユニットを設けることができ、少なくとも１つの列の互いに隣接している２つの電気コンタクトユニット間で、収容空間内に内側補強リブが形成され、コンタクトハウジングレセプタクルは、内側補強リブが、収容空間内で互いに隣接している２つの電気コンタクトユニットを越えて突出し、またはこれらのコンタクトユニットのうちの少なくとも１つと実質的に同じ高さで終端するように形成される。言い換えれば、コンタクトユニットの電気コンタクト部は、収容空間内に設けられ、したがって内側補強リブは、互いに隣接している電気コンタクト部の自由端を越えて突出し、またはこれらのコンタクトユニットのうちの少なくとも１つと同じ高さで終端する。当然ながら、これはまた、互いに隣接している多数の電気コンタクトユニットにも当てはまる。
【００２２】
コンタクトハウジングレセプタクルは、その外面上で補強リブから実質的に自由にすることができる。さらに、コンタクトハウジングレセプタクルの２つの大きい長手方向の外面は、実質的に平面に形成することができる。さらに、コンタクトハウジングレセプタクルは、適したテストフィンガ、すなわち当該の場合に適用または使用することができる１つ（ＩＰｘｘＢ）と、電気コンタクトユニットの自由端との間の最小間隔が、２．５ｍｍ、３ｍｍ、３．５ｍｍ、３．７５ｍｍ、４ｍｍ、または４．２５ｍｍ以上になるように形成することができる。さらに、幅方向におけるコンタクトハウジングレセプタクルの実質的な最大外形寸法は、８．５ｍｍ、８．３ｍｍ、８．１ｍｍ、７．９ｍｍ、７．７ｍｍ、７．５ｍｍ、または７．３ｍｍ以下とすることができる。たとえば好ましくは約７．７ｍｍの低減されたフランジ幅で、電気コンタクトユニットの列を中心（図４参照）から外方に敷設することによって、かつ／または大きい側壁を内側から補強すること（内側補強リブ）によって、コンタクトハウジングレセプタクル上のフィンガガードが大幅に改善される。
【００２３】
本発明の電気コネクタは、多数の電気コンタクトユニットを備え、電気コネクタは、本発明のコンタクトハウジングまたは本発明のコンタクトハウジングレセプタクルを有する。この場合、コンタクトハウジングレセプタクルは、コネクタのハウジングと単体として、物質的に単体として、または一体的に形成することができる。本発明の既製の電気ケーブルまたは本発明の既製の電気ケーブルハーネスは、本発明の電気コネクタを有する。
【００２４】
本発明について、以下、例示的な実施形態を使用して、添付の概略的な図面を参照しながら、より詳細に説明する。添付の図面は、原寸に比例していない。同一、一義、または類似の形態および／または機能を有する部分、要素、構造部分、ユニット、図、および／または構成要素は、図の説明（以下参照）、参照番号の一覧、特許請求の範囲、および図面の図において、同じ参照番号によって識別される。本発明の説明（上記参照）で説明されず、図面に示されず、かつ／または排他的でない、本発明の例示的な実施形態、またはそれらの構成要素、図、ユニット、構造部分、要素、もしくは部分に対する、１つの可能な代替形態、定常状態および／または運動力学的反転、組合せなどは、図の説明からさらに推論することができる。
【００２５】
本発明において、特徴（部分、要素、構造部分、ユニット、構成要素、機能、変数など）は、正として、すなわち存在するものとして、または負として、すなわち存在しないものとして構成することができ、負の特徴は、その不在が本発明によって重要であると考えられない場合、特徴として明示的に説明されていない。本明細書（説明、参照番号の一覧、特許請求の範囲、図面）の特徴は、指定された形で適用することができるだけでなく、異なる形（分離、集約、交換、追加、独自性、省略など）で適用することもできる。特に、説明、参照番号の一覧、特許請求の範囲、および／または図面では、参照番号およびこれに属する特徴またはその逆を使用することによって、特許請求の範囲および／または説明内の特徴を交換、追加、または省略することが可能である。さらに、その結果、特許請求の範囲内の特徴は、より詳細に解釈および／または指定することができる。
【００２６】
本明細書の特徴はまた、任意選択の特徴として解釈することができ（（広く知られていない）従来技術を考慮）、すなわち各特徴は、任意選択の、任意の、または好ましい特徴として、すなわち拘束力のない特徴として理解することができる。したがって、任意選択でその周辺部を含む特徴を例示的な実施形態から切り離すことが可能であり、次いでこの特徴は、一般化された本発明の概念に移行可能である。例示的な実施形態において特徴がないこと（負の特徴）は、本発明に関してその特徴が任意選択であることを示す。さらに、これに沿って、ある特徴の種類名、その特徴の総称名を読み取ることもできる場合（任意選択で、亜属、部分などへのさらなる階級的分類）、その結果、たとえば同一の影響および／または等価性を考慮に入れて、ある特徴またはこの特徴を一般化することが可能である。これらの図は、単なる例示である。
【図面の簡単な説明】
【００２７】
【図１】多数の電気コンタクトユニットのための従来技術による自動車産業向けのコンタクトハウジングの２次元の正面図である。
【図２】電気コンタクトユニットを切り離して示す、すべての側で分解した、図１からのコンタクトハウジングの２次元の長手方向図である。
【図３】多数の電気コンタクトユニットのための従来技術によるコンタクトハウジングレセプタクルの２次元の断面正面図である。
【図４】自動車産業向けの図３からのコンタクトハウジングレセプタクルの斜視長手方向図である。
【図５】自動車産業向けの本発明の２つの部分からなるコンタクトハウジングのための本発明の第１のコンタクトハウジングモジュールの斜視図である。
【図６】本発明のコンタクトハウジングのための本発明の第２のコンタクトハウジングモジュールの斜視図である。
【図７】コンタクトハウジングモジュールが互いに対して事前係止位置に位置する、図５および図６のコンタクトハウジングモジュールの２次元の平面図である。
【図８】コンタクトハウジングモジュールが互いに対して最終係止位置にある、図５および図６のコンタクトハウジングモジュールの２次元の平面図である。
【図９】コンタクトハウジングモジュールが事前係止位置にある、コンタクトハウジングの正面斜視図である。
【図１０】コンタクトハウジングモジュールが事前係止位置にある、コンタクトハウジングの中心断面正面斜視図である。
【図１１】コンタクトハウジングモジュールが最終係止位置にある、コンタクトハウジングの２次元の正面図である。
【図１２】第１のコンタクトハウジングモジュールの電気コンタクトユニットの領域内のコンタクトハウジングの正面２次元断面図である。
【図１３】第２のコンタクトハウジングモジュールの電気コンタクトユニットの領域内のコンタクトハウジングの正面２次元断面図である。
【図１４】１つの側で分解した、本発明のコンタクトハウジングの挿入開口の２次元の底面図である。
【図１５】２つの側で分解した、コンタクトハウジングモジュールの相互に係合するコンタクト固定歯の領域内の２次元の断面図である。
【図１６】電気導体が電気的かつ機械的に接続された本発明のコネクタ（既製のケーブルまたは既製のケーブルハーネス）の側面斜視図である。
【図１７】多数の電気コンタクトユニットのための本発明によるコンタクトハウジングレセプタクルの２次元の断面正面図である。
【図１８】自動車産業向けの、図１７のコンタクトハウジングレセプタクルの３次元の長手方向側面図である。
【発明を実施するための形態】
【００２８】
本発明について、第１に、以下、電気コネクタ用、特に自動車産業、特にハイブリッドまたは電気車両産業向けの電気プラグコネクタまたは嵌合コネクタ用の本発明のコンタクトハウジング１の変種の一実施形態の例示的な実施形態を使用して、より詳細に説明する。本発明を理解するのに必要な本発明の主題の空間部分についてのみ、図面に示す。本発明について、好ましい例示的な実施形態によってより詳細により綿密に説明および図示するが、本発明は、開示する例示的な実施形態によって制限されない。本発明の保護範囲から逸脱することなく、他の変形形態を例示的な実施形態および／または上記（本発明の説明）から導出することができる。これはまた、たとえば、コンピュータおよび（娯楽）電子機器産業におけるコンタクトハウジングにも当てはまる。
【００２９】
図面を使用して、本発明の説明は、以下、コンタクトハウジング１またはそのコンタクトハウジングモジュール１０、２０、およびコンタクトハウジング１を受け取ることができる本発明のコンタクトハウジングレセプタクル５の幅方向Ｂまたは幅軸Ｂ、高さ方向Ｈまたは高さ軸Ｈ、および長手方向Ｌまたは長手方向軸Ｌに関する。本明細書では、コンタクトハウジング１は、プラグコネクタもしくは嵌合コネクタ、プラグ、または継手用のハウジングである。しかし、本発明はまた、内蔵プラグ、（内蔵）ソケット、ソケットコネクタ、プラグレセプタクルなどにも適用することができる。コンタクトハウジング１内に２重にロックすることができる電気コンタクトユニット３０は、好ましくは、ソケットコンタクトユニット３０であり、ピン、ペグ、および／もしくはタブコンタクトユニットとして、追加として形成することができ（ハイブリッドコネクタ）、または別法として形成することができる。
【００３０】
本発明のコンタクトハウジング１（図５〜１６参照）は、互いから分離された実質的に２つのユニットを備え、２つのいわゆるコンタクトハウジングモジュール１０、２０は、互いに接続され、特に共に差し込まれて、すぐに使用できる完全なコンタクトハウジング１を形成する。本発明は、２つのコンタクトハウジングモジュール１０、２０に制限されるものではなく、むしろコンタクトハウジング１の多数のコンタクトハウジングモジュール１０、．．．、２０を互いに機械的に結合することもでき、たとえば多数のコンタクトハウジングモジュール１０、．．．、２０を直列に配置することができる。言い換えれば、本発明のコンタクトハウジング１は、２つの部分または複数の部分から、特にコンタクトユニット３０に対して２列または複数の列で形成される。
【００３１】
コンタクトハウジング１では、好ましくは１つの個々の形状および／または１つの個々のタイプのコンタクトユニット３０が使用される。２つの電気コンタクトユニット３０、６０のコンタクトの領域内に正方形のコンタクト断面を有するいわゆるＮａｎｏＭＱＳ（ＭＱＳ：Ｍｉｃｒｏ  Ｑｕａｄｌｏｃｋ  Ｓｙｓｔｅｍ）が好ましい（図１２および図１３、図１７参照）。したがって、コンタクトハウジングモジュール１０、２０は、ＮａｎｏＭＱＳモジュール１０、２０として識別することができる。当然ながら、本発明の解決策によって、コンタクトチャンバ１１０、２１０からコンタクトチャンバ１１０、２１０へ、２次コンタクト固定手段の異なる位置を適用することもできるため、コンタクトハウジング１内で、異なるコンタクトシステム（たとえば、ＮａｎｏＭＱＳおよびＭＣＯＮ（Ｍｕｌｔｉｐｌｅ  Ｃｏｎｔａｃｔ）、ＭＱＳおよびＭＣＯＮなど）を組み合わせることが可能である。したがって、コンタクト固定コーム１２０、２２０のコンタクト固定歯１２２、２２２は、１つの平面上に位置する必要はない。
【００３２】
それぞれのコンタクトハウジングモジュール１０、２０は、好ましくは実質的に立方形のベース本体１００、２００を備え、その中に、コンタクトユニット３０に対する複数のコンタクトチャンバ１１０、２１０がそれぞれ提供される（図１２および図１３参照）。この場合、コンタクトハウジングモジュール１０、２０は、交換することができ、すなわちコンタクトハウジングモジュール１０がコンタクトハウジングモジュール２０になり、逆も同様である。したがって、コンタクトハウジングモジュール１０、２０のコンタクトチャンバ１１０、２１０は、それぞれのコンタクトハウジングモジュール１０、２０の隔壁によって、長手方向Ｌに互いから（電気的に）分離される。各コンタクトチャンバ１１０内には、コンタクトユニット３０を設けることができ、この場合、コンタクトユニット３０は、ソケットコンタクトユニット３０として形成される（図１２および図１３参照）。
【００３３】
本発明によれば、個々のコンタクトハウジング１は、複数、特に２つのコンタクトハウジングモジュール１０、２０から構成され、コンタクトハウジングモジュール１０、２０は、好ましくは、互いから分離して作製され、これは、特に射出成形方法によって行うことができる（図５、図６参照）。この場合、コンタクトハウジングモジュール１０、２０は、当然ながら好ましくは２つの異なる取出し方向を有する型で射出成形することができる。当然ながら、コンタクトハウジングモジュール１０、２０はまた、２つの別個の型で互いから分離して作製することができる。
【００３４】
そのような「コンタクトハウジング１」、すなわち２つの緩んだコンタクトハウジングモジュール１０、２０は、コンタクトハウジング１の送達状態を形成することができる。この場合、コンタクトハウジングモジュール１０は、いわゆる分離位置Ｇで、コンタクトハウジングモジュール２０に対向して位置し、または逆も同様である。送達状態の場合、２つのコンタクトハウジングモジュール１０、２０は、好ましくは、図７、図９、および図１０に示すように、互いに対して事前係止位置Ｖまたは事前組立て位置Ｖに位置する。事前係止位置Ｖで、ベース本体１００、２００の内面１０１、２０１（大きい長手方向の内面１０１、２０１）間に、２次コンタクト固定手段１２０、２２０（以下参照）を設けるために必要とされる間隔（空間）が設けられる。
【００３５】
この場合、２つのベース本体１００、２００は、係止ユニット１３０、２３０または２つのコンタクトハウジングモジュール１０、２０によって、互いに事前に係止される。係止ユニット１３０、２３０は、好ましくは部分的に相補形に複数の部分から形成される。事前係止位置Ｖで、好ましくは最終係止位置Ｅまたは最終組立て位置Ｅを確立することもできる係止ユニット１３０、２３０は、第１の相互位置で互いに係合する。最終係止位置Ｅ（係止ユニット１３０、２３０の第２の相互位置）の場合、係止ユニット１３０、２３０、したがってコンタクトハウジングモジュール１０、２０は、事前係止位置Ｖから最終係止位置Ｅへ動かすことができる。
【００３６】
２つのコンタクトハウジングモジュール１０、２０を事前係止位置Ｖから最終係止位置Ｅへ移動させるために、コンタクトハウジングモジュール１０、２０は、好ましくは相互に案内され、特に幅方向Ｂに並進して強制的に案内される。この目的で、コンタクトハウジングモジュール１０、２０は、互いに少なくとも部分的に相補形に形成された案内ユニット１４０、２４０を有する。本明細書では、案内ユニット１４０は、その内面１０１から開始するコンタクトハウジングモジュール１０内の凹部１４０として形成され、案内ユニット２４０は、コンタクトハウジングモジュール２０の内面２０１上の突出部２４０として形成される。当然ながら、これは逆も同様であることを想定することができる。
【００３７】
この場合、案内ユニット１４０、２４０は、立方形の形状（正、負）に形成される。当然ながら、まっすぐな、任意選択で略円筒形、まっすぐな角柱などの他の形状を使用することが可能である。案内ユニット１４０、２４０は、好ましくは、事前係止位置Ｖで互いにすでに部分的に係合している（図７参照）。互いに関係する少なくとも２つの案内ユニット１４０、２４０は、好ましくはすでに事前係止位置Ｖおよび最終係止位置Ｅにある２つのコンタクトハウジングモジュール１０、２０が、互いに対して回転できないことを保証する。案内ユニット１４０、２４０の設計（円筒形の形状）のため、これが該当しない場合、したがってこれは、互いに関係する２つの追加の案内ユニット１４０、２４０によって保証される。
【００３８】
分離位置Ｇおよび／または事前係止位置Ｖで、コンタクトハウジング１またはコンタクトハウジングモジュール１０、２０は、コンタクトユニット３０に嵌ることができる。この場合、電気導体または電気ケーブルが、それぞれのコンタクトユニット３０に機械的かつ電気的に接続される（図１１〜１３および図１６参照）。コンタクトハウジングモジュール１０、２０に嵌るとき、それぞれのコンタクトユニット３０は主に、前面領域（たとえば図１２および図１３で容易に見ることができる底部中心）で、関係するコンタクトチャンバ１１０、２１０上／内の係止ショルダに係止する。この目的で、コンタクトユニット３０は、好ましくは、コンタクトユニット３０上に形成された係止ブラケットを有する（係止ショルダに関連するコンタクトの１次固定のため）。
【００３９】
本発明によれば、その背後（すなわち、図１２および図１３においてさらに上方）、それぞれのコンタクトユニット３０に対して２次コンタクト固定手段１２０、２２０を設けることができる。関係するコンタクトハウジングモジュール１０、２０に対するコンタクトユニット３０の２次コンタクト固定２２０、１２０は、関係する他方のコンタクトハウジングモジュール２０、１０を介して行われる。言い換えれば、第１（または第２）のコンタクトハウジングモジュール１０の２次コンタクト固定２２０は、第２（または第１）のコンタクトハウジングモジュール２０によって行われ、第２（または第１）のコンタクトハウジングモジュール２０の２次コンタクト固定１２０は、第１（または第２）のコンタクトハウジングモジュール１０によって行われる。
【００４０】
関係する２次コンタクト固定手段２２０、１２０は、コンタクト固定コーム２２０、１２０として形成され、このコンタクトハウジングモジュール１０、２０内で幅方向Ｂに実質的に対向するコンタクトハウジングモジュール１０、２０の実質的にすべてのコンタクトユニット３０を２次的に機械的に固定する。この目的で、関係するコンタクト固定コーム２２０、１２０は、幅方向Ｂに対向するコンタクトハウジングモジュール１０、２０内で、複数のコンタクト固定歯２２２、１２２に係合する（特にまた、図５〜８、図１２、および図１３参照）。関係するコンタクト固定歯２２２、１２２は、関係するコンタクトハウジングモジュール１０、２０のそれぞれのコンタクトユニット３０の後ろに、好ましくはその係止ブラケットの後ろに、好ましくは特にそれぞれのコンタクトユニット３０上に一体的に形成される係止ショルダ上に係合する。
【００４１】
２次コンタクト固定手段２２０、１２０を設けるとき、またはコンタクトハウジングモジュール１０、２０を分離位置Ｇもしくは事前係止位置Ｖから最終係止位置Ｅへ動かすとき、それぞれ関係するコンタクト固定歯２２２、１２２は、関係するコンタクトハウジングモジュール１０、２０のそれぞれの２次係止貫通凹部１１２、２１２に貫入する（特に、図５、図６、図８、図１２、図１３、および図１５）。それぞれの２次係止貫通凹部１１２、２１２は、それぞれ関係するコンタクトチャンバ１１０、２１０につながる。この場合、個々のコンタクトハウジングモジュール１０、２０のコンタクト固定歯２２２、１２２の一部、特に実質的にすべてのコンタクト固定歯２２２、１２２が、事前係止位置Ｖで、関係する２次係止貫通凹部２１２、１１２内へある程度突出することが好ましい。
【００４２】
この場合、これらは、コンタクトハウジングモジュール１０のコンタクト固定歯１２２であり、コンタクトハウジングモジュール２０のコンタクトチャンバ２１０をそのコンタクトユニット３０に嵌めることを妨げることなく、最初にコンタクトハウジングモジュール２０の２次係止貫通凹部２１２内へ突出する（図７参照）。逆の動きでは、コンタクトハウジングモジュール２０の正に構成された案内ユニット２４０（突起２４０）が、コンタクトハウジングモジュール１０の負に構成された案内ユニット１４０（凹部１４０）内へある程度すでに突出していることが好ましい（また図７参照）。
【００４３】
最終係止位置Ｅで、好ましくは実質的にすべてのコンタクト固定歯１２２、２２２が、好ましくは実質的にすべての２次係止貫通凹部１１２、２１２を通って、好ましくは実質的にすべてのコンタクトチャンバ１１０、２１０内へ係合し、好ましくは実質的にすべてのコンタクトユニット３０をコンタクトハウジング１内に２次的にロックする。最終係止位置Ｅでは、コンタクトハウジングモジュール１０、２０の最終係止ユニット１３２、２３２は、コンタクトハウジングモジュール２０、１０の最終係止ユニット２３２、１３２に係止することが、さらに好ましい。したがってこの場合、最終係止ユニット１３２、２３２は、部分的に相補形に形成される。最終係止ユニット２３２、１３２は、事前係止位置Ｖでまだ互いに係合していないことが好ましい（図１０参照）。
【００４４】
最終係止位置Ｅでは、コンタクトハウジング１の１列のコンタクトユニット３０のそれぞれ直接隣接している２つのコンタクトユニット３０間に、沿面距離１２４、２２４が確立され、これは関係する空間距離より大幅に大きい（図１５、図２参照）。大きい長手方向の外面１０２、２０２は、コンタクトユニット３０の関連領域内の外側で、実質的に閉じて、平面に、かつ／または任意選択で平滑に、さらに形成することができる（特に図１６参照）。さらに、この図面は、コネクタがコンタクトハウジング１に差し込まれた場合のみコンタクトハウジング１内へ差し込まれる、コンタクトハウジング１に対するコネクタ固定手段４０（ＣＰＡ４０、コネクタ位置保証）を示す。
【００４５】
一方では、コンタクトハウジングモジュール１０、２０を作製するために使用される射出成形型をうまく取り外すことができ、他方では、精巧になり過ぎず、したがってこれらの形状に必要とされるコアまたはコア構造に対する損傷を受けやすくなり過ぎないことを保証するために、コンタクトチャンバの領域内で、コンタクトハウジングモジュール１０、２０の内面１０１、２０１内に、それぞれのコンタクトチャンバ１１０、２１０内へつながる開口１１４、２１４が設けられることが好ましい（図５、図６、および図１４参照）。この場合、開口１１４、２１４は、関係するコンタクトハウジングモジュール１０、２０のそれぞれの開口１１４、２１４を、関係する他方のコンタクトハウジングモジュール２０、１０の内面２０１、１０１の閉鎖部によって、好ましくは完全に覆うことができるように、特に内面がそれぞれ長手方向Ｌおよび／または高さ方向Ｈに重複するように、コンタクトハウジング１内に設けられる。
【００４６】
本発明のコンタクトハウジング１は、本発明のコンタクトハウジングレセプタクル５を実現することを可能にし、コンタクトハウジングレセプタクル５は、たとえば、フランジ端子５、ヘッダ５などとして形成することができる（図１７および図１８参照）。コンタクトハウジングレセプタクル５内にロックすることができるコンタクトユニット６０は、好ましくは、ピンまたはペグコンタクトユニット６０であるが、ソケットおよび／またはタブコンタクトユニットとして、追加として形成することができ（ハイブリッドコネクタ）、または別法として形成することができる。コンタクトハウジングレセプタクル５は、コネクタの一体部分とすることができる。以下、図１７からわかるように、コンタクトハウジングレセプタクル５は、コンタクトユニット６０に嵌められたコネクタの一部であると想定する。
【００４７】
コンタクトハウジングレセプタクル５によって、コネクタは、収容空間５００を密閉し、収容空間５００内へ、上述したコンタクトハウジング１またはそのようなコンタクトハウジング１を有するコネクタを差し込むことができる。収容空間５００内では、少なくとも２列のコンタクトユニット６０が設けられ、それらの接触部が突出している。少なくとも１つの列の好ましくは互いに直接隣接している２つの電気コンタクトユニット６０間では、収容空間５００内に内側補強リブ５９０が形成される。
【００４８】
本発明によれば、内側補強リブ５９０は、内側補強リブ５９０が、好ましくは互いに直接隣接している２つのコンタクトユニット６０を越えて突出するように形成される。内側補強リブ５９０は、内側補強リブ５９０がこれらのコンタクトユニット６０のうちの少なくとも１つと実質的に同じ高さで終端するようにさらに形成することができる。図示の例では、コンタクトハウジングレセプタクル５の外縁部上のテストフィンガ６とコンタクトユニット６０の自由端との間の最小間隔は、約３．９ｍｍである（比較として、図４の従来技術は１．４ｍｍである）。
【図１】
2018206766.tif 000003
【図２】
2018206766.tif 000004
【図３】
2018206766.tif 000005
【図４】
2018206766.tif 000006
【図５】
2018206766.tif 000007
【図６】
2018206766.tif 000008
【図７】
2018206766.tif 000009
【図８】
2018206766.tif 000010
【図９】
2018206766.tif 000011
【図１０】
2018206766.tif 000012
【図１１】
2018206766.tif 000013
【図１２】
2018206766.tif 000014
【図１３】
2018206766.tif 000015
【図１４】
2018206766.tif 000016
【図１５】
2018206766.tif 000017
【図１６】
2018206766.tif 000018
【図１７】
2018206766.tif 000019
【図１８】
2018206766.tif 000020
【外国語明細書】
2018206766000001.pdf